(57)【特許請求の範囲】
【請求項１】
ハウジング内に装着固定した固定輪と、固定輪の内側に同軸に配置した太陽軸と、固定輪と太陽軸との間にこれら両者と圧接するよう負隙間で組み込まれる複数の遊星ローラと、遊星ローラを回転自在に支持するキャリアとを備えた遊星ローラ変速装置において、上記固定輪を１８０°対向位置で２分割し、この両分割部材により太陽軸の周囲に配置された複数の遊星ローラを挟み込みかつ両分割部材をボルトで一体化した状態で、両分割部材をハウジング内周の環状の周段部内に収容固定し、上記固定輪の両分割部材の内周では遊星ローラの軌道の両側に、一体つばを形成したことを特徴とする遊星ローラ変速装置。
【請求項２】
上記固定輪の分割が、該固定輪の中心を通る軸線を含んで半径方向に広がる半径方向面か、またはこの半径方向面に平行な面にて行われていることを特徴とする請求項１に記載の遊星ローラ変速装置。
【発明の詳細な説明】
【０００１】
【発明の属する技術分野】
この発明は、変速機として用いられる遊星ローラ変速装置に関する。
【０００２】
【従来の技術】
従来、遊星ローラ式変速装置として図３および図４のものが知られている。このものは、ハウジング３０内に装着固定された固定輪３１と、固定輪３１の内側に同軸に配置された太陽軸３２と、固定輪３１と太陽軸３２との間に圧接状態で介在させられた複数の遊星ローラ３３と、遊星ローラ３３が回転自在に支持されるキャリア３４とを備えている。
【０００３】
また、上記キャリア３４は、入出力部材であり、軸体３５と、この軸体３５の一端に、円周数箇所にピン３７が植設された環状フランジ３６とから形成され、上記ピン３７により遊星ローラ３３は針状ころ軸受３８を介して回転自在に支持される。
【０００４】
上記変速装置の動作としては、太陽軸３２を入力とした場合にはキャリア３４から減速出力が、また、キャリア３４を入力とした場合には太陽軸３２から増速出力がそれぞれ得られる。
【０００５】
【発明が解決しようとする課題】
従来の遊星ローラ変速装置においては、固定輪３１と遊星ローラ３３と太陽軸３２間は負隙間にて使用されている。このためこれら部品を組立てる場合には、一般に固定輪を熱して熱膨張させた状態で組立てる方法、いわゆる焼き嵌め方法が採用されている。しかし、固定輪を焼き嵌めするための温度までの加熱時間がかかるとともに、高温であることから作業性が非常に悪くなるという問題がある。
【０００６】
この発明は、遊星ローラ変速装置において、固定輪を焼き嵌めすることなく、固定輪、遊星ローラおよび太陽軸間を負隙間に組立てできるようにすることを目的とする。
【０００７】
【課題を解決するための手段】
上記課題を解決する手段として、請求項１の発明では、ハウジング内に装着固定した固定輪と、固定輪の内側に同軸に配置した太陽軸と、固定輪と太陽軸との間にこれら両者と圧接するよう負隙間で組み込まれる複数の遊星ローラと、遊星ローラを回転自在に支持するキャリアとを備えた遊星ローラ変速装置において、上記固定輪を１８０°対向位置で２分割し、この両分割部材により太陽軸の周囲に配置された複数の遊星ローラを挟み込みかつ両分割部材をボルトで一体化した状態で、両分割部材をハウジング内周の環状の周段部内に収容固定し、上記固定輪の両分割部材の内周では遊星ローラの軌道の両側に一体つばを形成したことを特徴とする。
【０００８】
また、請求項２の発明では、上記固定輪の分割が、該固定輪の中心を通る軸線を含んで半径方向に広がる半径方向面か、またはこの半径方向面に平行な面にて行われていることを特徴とする。    
【０００９】
【発明の実施の形態】
以下、この発明の具体的な実施の形態について説明する。図１および図２はこの発明の遊星ローラ変速装置の一実施形態である。ハウジング１内の凹周段部１２に装着固定された固定輪２と、固定輪２の内側に同軸に配置された太陽軸３と、固定輪２と太陽軸３の間に圧接状態で介在させられた複数の遊星ローラ４と、遊星ローラ４が回転自在に支持されるキャリア５とを備えている。
【００１０】
また、上記キャリア５は、入出力部材であり、軸体６と、この軸体６の一端に、円周数箇所にピン８が植設された環状フランジ７とから形成され、上記ピン８により遊星ローラ４は玉軸受９を介して回転自在に支持される。
【００１１】
さらに、上記ハウジング１は、内周面に周段部１２ａが形成された一方分割部１ａと周段部１２ａとともに上記凹周段部１２を構成する他方分割部１ｂに２分割され、この凹周段部１２内に固定輪２の外径部が嵌合固定された状態でボルト１３にて一体化されている。これにより、固定輪２はハウジング１の凹周段部１２内に装着固定される。
【００１２】
また、上記固定輪２は、１８０°対向位置で２分割２ａ，２ｂされている。そしてこの両分割部材２ａ，２ｂの分割面２０ａ，２０ｂは、固定輪の中心Ｏを通る軸方向線である軸線を含んで該軸線から半径方向に広がる半径方向面Ｙ−Ｙの近傍で、この半径方向面に平行な面にて形成されている。さらに、一方の分割部材２ａの一端部２１には、その軸方向の任意個所に他方の分割部材２ｂの一端部２３の分割面２０ｂが露出するよう外径面から所定深さの切り欠き部１４が形成され、他方の分割部材２ｂの他端部２４には、その軸方向の任意個所に一方の分割部材２ａの他端部２２の分割面２０ａが露出するよう外径面から所定深さの切り欠き部１５が形成されている。また、上記一方の分割部材２ａの他端部２２の分割面２０ａ及び他方の分割部材２ｂの一端部２３の分割面２０ｂには、それぞれボルト孔１６，１７が形成されており、上記切り欠き１４，１５からボルト１８，１９が上記ボルト孔１６，１７に螺合されて、上記両分割部材２ａ，２ｂが強固に締結され、分割面２０ａ，２０ｂが当接されて固定輪２が形成される。そして、この固定輪２の両分割部材２ａ，２ｂの内径は、締結時に固定輪２、遊星ローラ４および太陽軸３間の圧接が負隙間にて行われるように設定されている。
【００１３】
上記固定輪２、遊星ローラ４および太陽軸３の組み込みを説明する。まず常温で遊星ローラ４と太陽軸３とをまず組立てておき、その状態で固定輪２の両分割部材２ａ，２ｂを左右から挟み込み、ボルト１８，１９で両分割部材２ａ，２ｂを一体化し、固定輪２、遊星ローラ４および太陽軸３を負隙間状態で組み立てるものである。
【００１４】
なお、固定輪２を形成する両分割部材２ａ，２ｂの分割面２０ａ，２０ｂは１８０°対向位置でしかも平面で形成されているため、両部材の締結安定性が得られる。さらに、一体つば２５が形成されている場合でも、固定輪２が分割形式であるため、遊星ローラ４の組み込みに支障がない。
【００１５】
【発明の効果】
この発明の請求項１における遊星ローラ変速装置では、固定輪を１８０°対向位置で２分割し、この両分割部材にて遊星ローラを挟み込み締結部材で一体化するようにしたため、固定輪を常温で組立てでき、装置の組立て時間の短縮と作業性の向上が図れる。
【００１６】
また、請求項２の発明では、固定輪２を形成する両分割部材２ａ，２ｂの分割面２０ａ，２０ｂは平面で形成されているため、両部材の締結安定性が図れる。
【図面の簡単な説明】
【図１】本発明の遊星ローラ変速装置の縦断面図である。
【図２】本発明の図１のＡ−Ａ断面図である。
【図３】従来の遊星ローラ変速装置の縦断面図である。
【図４】従来装置である図３のＢ−Ｂ断面図である。
【符号の説明】
１    ハウジング
２    固定輪
２ａ  分割部材
２ｂ  分割部材
３    太陽軸
４    遊星ローラ
５    キャリア
６    軸体
７    環状フランジ
８    ピン
９    玉軸受
１８    ボルト
１９    ボルト
【図１】
0003763398.tif 000002
【図２】
0003763398.tif 000003
【図３】
0003763398.tif 000004
【図４】
0003763398.tif 000005